(57)【要約】【課題】共同住宅等において、住戸間の遮音性能が低く、プライバシーが守られなかった。【解決手段】住戸１１と住戸１２との境部に設けられる枠体１５と、この枠体１５に固定されるともに住戸１１側に設けられた補強芯材１６ａと、住戸１２側に設けられた補強芯材１６ｂと、補強芯材１６ａに装着された面材２１ａと、補強芯材１６ｂに装着された面材２１ｂとを備え、補強芯材１６ａと補強芯材１６ｂとの間において、枠体１５に固定された取付材１８を設け、この取付材１８に遮音板１７を装着するとともに、この取付材１８と遮音板１７とは共に補強芯材１６ａ及び補強芯材１６ｂの何れにも非接触に設けられたものである。これにより、初期の目的を達成することができる。【選択図】  図１
2006200333.tif 000002
【特許請求の範囲】
【請求項１】
建物内に設けられた第１の部屋と第２の部屋とを分離する界壁用パネルであって、前記界壁用パネルは、前記第１の部屋と前記第２の部屋との境部に設けられる枠体と、この枠体に固定されるともに前記第１の部屋側に設けられた第１の補強芯材と、前記枠体に固定されるともに前記第２の部屋側に設けられた第２の補強芯材と、前記第１の部屋側に設けられるとともに前記第１の補強芯材に装着された第１の面材と、前記第２の部屋側に設けられるとともに前記第２の補強芯材に装着された第２の面材とを備え、前記第１の補強芯材と前記第２の補強芯材との間において、前記枠体に固定された取付材を設け、この取付材に遮音板を装着するとともに、この取付材と前記遮音板とは共に前記第１の補強芯材及び前記第２の補強芯材の何れにも非接触に設けられた界壁用パネル。
【請求項２】
遮音板と枠体との間は弾性部材で塞がれた請求項１に記載の界壁用パネル。
【請求項３】
遮音板は、第１の遮音板と第２の遮音板とが連結されて形成されるともに、前記第１の遮音板と前記第２の遮音板とは取付材の面上で連結された請求項１に記載の界壁用パネル。
【請求項４】
遮音板の表面及び裏面は共に疎面で形成された請求項１に記載の界壁用パネル。
【請求項５】
遮音板の材質の密度は、面材の材質より高密度の材質を用いた請求項１に記載の界壁用パネル。
【請求項６】
第１の部屋と第２の部屋とが請求項１に記載の界壁用パネルで分離された建物。
【発明の詳細な説明】
【技術分野】
【０００１】  本発明は、建築等に用いられる界壁用パネルとこれを用いた建物に関するものである。
【背景技術】
【０００２】  従来の建物内に設けられた部屋と部屋とを分離する界壁用パネルは以下のような構成になっていた。即ち、従来の界壁用パネルは、図４にその断面を示すように、部屋１と部屋２との境に設けられる枠体３ａ、３ｂと、この枠体３ａに固定されるともに部屋１側に設けられた補強芯材４ａと、枠体３ｂに固定されるともに部屋２側に設けられた補強芯材４ｂと、部屋１側に設けられるとともに補強芯材４ａに装着された面材５ａと、部屋２側に設けられるとともに補強芯材４ｂに装着された面材５ｂと、面材５ａの補強部材４ａ側に装着された断熱材６ａと、面材５ｂの補強部材４ｂ側に装着された断熱材６ｂとで構成されおり、前記枠体３ａ、３ｂと補強芯材４ａ、４ｂは互いに当接するとともに、断熱材６ａと６ｂとの間には空間７が設けられていた。【０００３】  以上のように構成された界壁用パネルは、例えば共同住宅等の戸界壁として用いられていた。【０００４】  なお、この出願の発明に関連する先行技術文献情報としては、例えば、特許文献１が知られている。
【特許文献１】  特開平０９−００４０９３号公報
【発明の開示】
【発明が解決しようとする課題】
【０００５】  しかしながらこのような従来の界壁用パネルでは、補強芯材４ａ、４ｂが互いに当接しているので、この補強芯材４ａに装着された面材５ａと、補強芯材４ｂに装着された面材５ｂとは、補強芯材４ａ、４ｂを介して連結していることになる。従って、部屋１で発生した音は、部屋２にも容易に伝達されることになる。従って、このような構成の界壁用パネルを、共同住宅等の住戸間に用いるとお互いのプライバシーが守られないという問題があった。【０００６】  そこで本発明は、このような問題を解決したもので、お互いのプライバシーを守ることができる界壁用パネルを提供することを目的としたものである。
【課題を解決するための手段】
【０００７】  この目的を達成するために本発明の界壁用パネルは、第１の補強芯材と前記第２の補強芯材との間において、枠体に固定された取付材を設け、この取付材に遮音板を装着するとともに、この取付材と前記遮音板とは共に前記第１の補強芯材及び前記第２の補強芯材の何れにも非接触に設けられた構成としたものである。これにより、初期の目的を達成することができる。
【発明の効果】
【０００８】  以上のように本発明の界壁用パネルによれば、第１の補強芯材と前記第２の補強芯材との間において、枠体に固定された取付材を設け、この取付材に遮音板を装着するとともに、この取付材と前記遮音板とは共に前記第１の補強芯材及び前記第２の補強芯材の何れにも非接触に設けられた構成としたものである。【０００９】  従って、このように設けられた遮音板により、界壁用パネルを挟んで設けられた両側の部屋は、音響的に分離されることになる。従って、第１の面材側の部屋における音が第２の面材側の部屋への伝達を防止することができるとともに、第２の面材側の部屋における音が第１の面材側の部屋への伝達を防止することもできる。即ち、両部屋間のプライバシーを守ることができる。
【発明を実施するための最良の形態】
【００１０】      （実施の形態１）
以下、本発明の実施の形態１における界壁用パネルについて、図面に基づいて説明する。【００１１】  図３は、共同住宅（建物の一例として用いた）の正面図である。この共同住宅には、住戸（部屋の一例として用いた）１１と住戸１２とが設けられている。そして、この住戸１１と１２との間には、２戸を分離すべく界壁用パネル（戸界壁）１３が設けられている。【００１２】  なお、ここで住戸１１，１２は一般的には２戸以上あるがここでは２戸の共同住宅として説明する。また、この界壁用パネル１３は、住戸１１、１２を分離するためだけに用いられるのではなく、外壁１４に用いることもできる。何れにしても、共同住宅において、住戸１１，１２を分離する界壁用パネル１３は、プライバシー保護の観点から高い遮音性が要求されるものである。【００１３】  図２は、界壁用パネル１３を垂直方向に切断した要部断面図である。図２において、１５は、界壁用パネル１３の外枠を形成する枠体である。この枠体１５は木材で形成されるとともに四角形をしており、この枠体１５を形成する縦芯材１５ａの長さ寸法は略２５０ｃｍであり、枠体１５の下側横芯材１５ｂと上側横芯材１５ｃの長さ寸法は共に略９０ｃｍの整数倍となっている。また、上側横芯材１５ｃは二重になっている。これは、他のパネル等と連結するためである。【００１４】  このように、界壁用パネル１３の枠体１５は四角形で、且つ横寸法が９０ｃｍの整数倍というように標準化されている。従って、能率的な生産、組立てが可能であるばかりでなく、高品質で均一な生産をすることができる。また、大量生産が可能であるので、建物の低価格化に寄与することができる。【００１５】  １６ａは、上側横芯材１５ｃと下側横芯材１５ｂに固定された補強芯材であり、この補強芯材１６ａは、縦芯材１５ａと平行に複数個設けられている。この複数個設けられた補強芯材１６ａの間隔は略９０ｃｍになっている。なお、この補強芯材１６ａは水平方向（下側横芯材１５ｂ、或いは上側横芯材１５ｃと平行）にも設けることができる。このことにより、枠体１５の強度を向上させることができる。【００１６】  １７は、枠体１５内に装着された遮音板であり、この遮音板１７は上側横芯材１５ｃと下側横芯材１５ｂに固定された取付材１８に装着されて取り付けられている。この遮音板１７は、遮音効果を高めるために、以下のような構成となっている。即ち、この遮音板１７と枠体１５との間の隙間には、ゴム（弾性部材の一例として用いた）１９ａが挿入されている。このことにより、遮音板１７は枠体１５との間を音響的に非接触にするとともに隙間をなくすことができるので、遮音効果を向上させることができる。【００１７】  また、この遮音板１７には孔或いはスリットのないものを用いることにより、孔やスリットを介して音の伝達を防止し遮音効果を高めることができる。枠体１５内の全体を塞ぐために、この遮音板１７が２枚以上必要な場合は、遮音板１７ａと遮音板１７ｂとを、取付板１８の平面部上で取り付けて連結している。従って、例え２枚以上の遮音板１７が連結されても、その遮音板１７ａ、１７ｂの連結部２０に隙間が生ずることはなく遮音効果の低下を防ぐことができる。また、遮音板１７と取付板１８���の間には、ゴム１９ｂ（図１参照）が挿入されている。このことにより、遮音効果を向上させることができる。【００１８】  図１は、界壁用パネル１３を水平方向に切断した要部断面図である。図１において、１５ａは、界壁用パネル１３の外枠を形成する枠体１５の縦芯材である。この縦芯材１５ａの断面は２３５ｍｍ×３８ｍｍである。２１ａは住戸１１側の枠体１５と補強芯材１６ａに密着して装着された面材であり、２１ｂは住戸１２側の枠体１５と補強芯材１６ｂに密着して装着された面材である。この面材２１ａ、２１ｂは、耐火性能を向上させるために石膏で形成されている。また、この面材２１ａ、２１ｂは二重に装着されているので、強度的にも優れた性能を有することになる。なお、この面材２１ａ、２１ｂに合板を用いることもできる。【００１９】  なお、補強芯材１６ａ、１６ｂ及び取付材１８の断面は３８ｍｍ×８９ｍｍの標準化された木材を用いている。また、面材２１ａ、２１ｂと遮音板１７の厚みは共に１２ｍｍのものを用いている。【００２０】  ２２ａは、面材２１ａの裏側（住戸１１の反対側）に装着された断熱材であり、２２ｂは、面材２１ｂの裏側（住戸１２の反対側）に装着された断熱材である。このように界壁用パネル１５の内面には断熱材２２ａ、２２ｂが装着されているので、住戸１１と住戸１２との間は大きな断熱効果を有するものである。【００２１】  １７は、ゴム１９ｂを介して取付材１８に装着された遮音板であり、補強芯材１６ａ、１６ｂから離間して非接触に設けられている。この遮音板１７は、枠体１５の幅（縦芯材１５ａの幅）の略中央に設けられており、この遮音板１７並びに、補強芯材１６ａ、１６ｂ間及び断熱材２２ａ、２２ｂ間には空間２３ａ、２３ｂが設けられている。このように、遮音板１７は住戸１１を形成する面材２１ａや、住戸１２を形成する面材２１ｂとは空間２３ａ、２３ｂを挟んで非接触である。このように直接連結していないので、住戸１１と住戸１２間の遮音効果は増大するものである。【００２２】  １９ａは、遮音板１７と枠体１５間に挿入されたゴムであり、やはり、枠体１５と音響的に分離するととに、空間２３ａと２３ｂ間の隙間も遮断して遮音効果を高めているものである。また、遮音板１７と取付板１８との間にもゴム１９ｂが挿入されており、取付板１８と遮音板１７とを音響的に分離している。【００２３】  更に、遮音板１７の材質の密度は、面材２１ａ、２１ｂの材質の密度より高密度の材料を用いている。従って、この遮音板１７の重量を重くすることにより遮音板の振動を抑制し、遮音効果を高めている。【００２４】  更にまた、この遮音板１７の表面１７ｃ側と裏面１７ｄ側は共に、疎面に形成されている。従って、音はこの疎面に吸収され、遮音効果を高めている。【００２５】  なお、本実施の形態における界壁用パネル１３は四角形としたが、これは四角形に限ることはなく、三角形でも良いし五角形以上の多角形であっても良い。また、円形や楕円形又はその組み合わせであっても良い。このような形状の界壁用パネルを用いることにより、多用途の建物の界壁として用いることができる。
【産業上の利用可能性】
【００２６】  本発明にかかる界壁用パネルは、遮音性能が高いので、特に共同住宅等に用いる戸界壁として有用である。
【図面の簡単な説明】
【００２７】
【図１】  本発明の実施の形態１における界壁用パネルの水平方向の要部断面図
【図２】  同、垂直方向の要部断面図
【図３】  同、界壁用パネルを用いた共同住宅の正面図
【図４】  従来の界壁用パネルの水平方向の要部断面図
【符号の説明】
【００２８】１１  住戸
１２  住戸
１３  界壁用パネル
１５  枠体
１６ａ  補強芯材
１６ｂ  補強芯材
１７  遮音板
１８  取付材
２１ａ  面材
２１ｂ  面材
２３ａ  空間
２３ｂ  空間
【図１】
2006200333.tif 000003
【図２】
2006200333.tif 000004
【図３】
2006200333.tif 000005
【図４】
2006200333.tif 000006